(57)【要約】【課題】見逃したまたは聞き逃した内容を再度視聴すること。【解決手段】受信したデジタル放送信号から、第１放送データと、第１放送データと同じ放送内容であってデータ量が少ない第２放送データを抽出する抽出手段（ＴＳ分離部１４ａ）と、抽出手段によって抽出された第２放送データを入力し、入力から一定期間記憶する記憶手段（ＦＩＦＯメモリ１４ｃ，１４ｅ）と、第１放送データおよび第２放送データの何れか一方を選択する選択手段（映像出力選択部１４ｍ、音声出力選択部１４ｎ）と、選択手段によって選択された放送データを再生する再生手段（映像Ｄ／Ａ変換部１５、音声Ｄ／Ａ変換部１６）と、選択手段によって第１放送データから第２放送データへ選択が切り換えられた場合に、記憶手段に記憶されている過去に受信された第２放送データを再生手段に再生させる制御を行う制御手段（マイクロコンピュータ１９）と、を有する。【選択図】図２
2010130406.tif 000002
【特許請求の範囲】
【請求項１】
受信したデジタル放送信号から、第１放送データと、前記第１放送データと同じ放送内容であってデータ量が少ない第２放送データを抽出する抽出手段と、
前記抽出手段によって抽出された前記第２放送データを入力し、入力から一定期間記憶する記憶手段と、
前記第１放送データおよび前記第２放送データの何れか一方を選択する選択手段と、
前記選択手段によって選択された放送データを再生する再生手段と、
前記選択手段によって前記第１放送データから前記第２放送データへ選択が切り換えられた場合に、前記記憶手段に記憶されている過去に受信された前記第２放送データを前記再生手段に再生させる制御を行う制御手段と、
を有することを特徴とするデジタル放送受信装置。
【請求項２】
請求項１記載のデジタル放送受信装置において、
前記制御手段は、前記選択手段によって前記第１放送データから前記第２放送データへ選択が切り換えられた場合に、前記記憶手段に記憶されている過去に受信された前記第２放送データを前記再生手段に再生させるか、または、前記抽出手段によって抽出された現在の前記第２放送データを前記再生手段に再生させるかを選択可能である、
ことを特徴とするデジタル放送受信装置。
【請求項３】
請求項１または２記載のデジタル放送受信装置において、
前記制御手段は、前記選択手段によって前記第１放送データから前記第２放送データへ選択が切り換えられた場合に、前記記憶手段に記憶されている、過去のどの時点の前記第２放送データを前記再生手段に再生させるかを設定可能である、
ことを特徴とするデジタル放送受信装置。
【請求項４】
請求項１乃至３のいずれか１項に記載のデジタル放送受信装置において、
前記制御手段は、前記選択手段によって前記第１放送データから前記第２放送データへ選択が切り換えられた場合に、前記記憶手段に記憶されている前記第２放送データの再生速度を速くするとともに、前記第２放送データの再生位置が現在受信されている前記第２放送データの位置と等しくなった場合には、前記選択手段による選択を前記第１放送データに切り換える、
ことを特徴とするデジタル放送受信装置。
【請求項５】
請求項１乃至３のいずれか１項に記載のデジタル放送受信装置において、
前記制御手段は、前記選択手段によって前記第１放送データから前記第２放送データへ選択が切り換えられた場合に、前記記憶手段に記憶されている前記第２放送データの再生速度を速くするとともに、前記第２放送データの再生位置が現在受信されている前記第２放送データの位置と等しくなった場合にはその旨を呈示する、
ことを特徴とするデジタル放送受信装置。
【請求項６】
受信したデジタル放送信号から、第１放送データと、前記第１放送データと同じ放送内容であってデータ量が少ない第２放送データを抽出する抽出ステップと、
前記抽出ステップにおいて抽出された前記第２放送データを入力し、入力から一定期間記憶装置に記憶させる記憶ステップと、
前記第１放送データおよび前記第２放送データの何れか一方を選択する選択ステップと、
前記選択ステップにおいて選択された放送データを再生する再生ステップと、
前記選択ステップにおいて前記第１放送データから前記第２放送データへ選択が切り換えられた場合に、前記記憶装置に記憶されている過去に受信された前記第２放送データを前記再生ステップに再生させる制御を行う制御ステップと、
を有することを特徴とするデジタル放送受信装置の制御方法。
【発明の詳細な説明】
【技術分野】
【０００１】
本発明は、デジタル放送受信装置およびデジタル放送受信装置の制御方法に関する。
【背景技術】
【０００２】
日本の地上デジタル放送では、１つの帯域内で雑音に対する強さを変えた複数の階層で同じ番組を同じ時間に放送するサイマル放送を行うことができる。具体的には、雑音に強い強階層としての１セグメント放送と、雑音に弱いが映像と音声の品質が高い弱階層としての１２セグメント放送とを送信することができる。
【０００３】
ところで、車載型デジタル放送受信装置では、車両の走行位置等に応じて受信状況が変化する。そこで、受信状況に応じて１２セグメント放送と１セグメント放送とを切り換えて受信する技術が特許文献１に開示されている。
【０００４】
図５および図６は、受信状況に応じて１２セグメント放送または１セグメント放送を切り換えて受信する車載型デジタル放送受信装置１１０の構成例を示す図である。この図５に示すように車載型デジタル放送受信装置１１０は、アンテナ１１１、周波数選択部１１２、ＯＦＤＭデコーダ部１１３、ＴＳ抽出部１１４、ＴＳ出力部１１５、ＴＳ入力選択部１１６、映像・音声復号部１１７、映像Ｄ／Ａ変換部１１８、音声Ｄ／Ａ変換部１１９、モニタ１２０、スピーカ１２１、マイクロコンピュータ１２２、ユーザインタフェース１２３、および、ハードディスク装置１２４によって構成される。
【０００５】
アンテナ１１１で捕捉した高周波信号は周波数選択部１１２へ供給される。周波数選択部１１２では、アンテナ１１１によって捕捉された高周波信号を、選局したいチャンネルに応じた所望の中間周波数になるように周波数変換を行った後、所望の周波数帯域のみをフィルタにより切り出し、ＯＦＤＭデコーダ部１１３へ供給する。ＯＦＤＭデコーダ部１１３では、ＯＦＤＭ復調および復調後信号の復号を行い、ＭＰＥＧ−ＴＳ信号と呼ばれる圧縮映像と圧縮音声を含むパケット化されたデータを生成し、ＴＳ抽出部１１４およびＴＳ入力選択部１１６へ供給する。
【０００６】
ＴＳ抽出部１１４ではＭＰＥＧ−ＴＳ信号から受信している階層（弱階層（１２セグメント放送）または強階層（１セグメント放送））の復号に必要なＭＰＥＧ−ＴＳ信号を抽出し、マイクロコンピュータ１２２へ供給する。マイクロコンピュータ１２２は、録画を行う場合には、ＴＳ抽出部１１４からＭＰＥＧ−ＴＳ信号を取得した後、ハードディスク装置１２４へ取得したデータを記録させる。録画されたデータの再生を行う場合、マイクロコンピュータ１２２は、ハードディスク装置１２４から所望の録画データを取得し、ＴＳ出力部１１５へ供給する。ＴＳ出力部１１５では、マイクロコンピュータ１２２から受け取ったデータをＭＰＥＧ−ＴＳ信号として、ＴＳ入力選択部１１６へ供給する。なお、時間差受信を行う場合は、録画と再生を同時に行う。その際、録画しているデータと再生するデータの時間差が所望の時間差になるように再生を遅延させる。ＴＳ入力選択部１１６では、実時間受信の場合はＯＦＤＭデコーダ部１１３からのＭＰＥＧ−ＴＳ信号を映像・音声復号部１１７に出力し、録画データの再生または時間差受信の場合はＴＳ出力部１１５からのＭＰＥＧ−ＴＳ信号を映像・音声復号部１１７に出力する。映像・音声復号部１１７では、圧縮映像と圧縮音声を復号し、デジタル映像信号とデジタル音声信号を出力する。映像Ｄ／Ａ変換部１１８はデジタル映像信号をアナログ映像信号に変換し、モニタ１２０へ供給する。音声Ｄ／Ａ変換部１１９はデジタル音声信号をアナログ音声信号に変換し、スピーカ１２１へ供給する。モニタ１２０は受信映像を、スピーカ１２１は受信音声を呈示する。呈示する映像および音声の階層の切り換えは映像・音声復号部１１７で行う。
【０００７】
図６は、図５に示す映像・音声復号部１１７の構成を示している。映像・音声復号部１１７は、ＴＳ分離部１１７ａ、ＦＩＦＯメモリ１１７ｂ，１１７ｃ、映像デコーダ部１１７ｄ，１１７ｅ、音声デコーダ部１１７ｆ，１１７ｇ、映像出力選択部１１７ｈ、および、音声出力選択部１１７ｉによって構成される。ここで、映像・音声復号部１１７に入力されたＭＰＥＧ−ＴＳ信号は、ＴＳ分離部１１７ａで弱階層の映像パケット、強階層の映像パケット、弱階層の音声パケット、および、強階層の音声パケットに分離される。弱階層の映像パケットはＦＩＦＯメモリ１１７ｂを介して、映像デコーダ部１１７ｄへ供給される。強階層の映像パケットは映像デコーダ部１１７ｅへ供給される。映像デコーダ部１１７ｄおよび映像デコーダ部１１７ｅでは、圧縮映像をデコードし、デジタル映像信号を出力する。映像出力選択部１１７ｈでは、ユーザの要求に応じて、弱階層のデジタル映像信号または強階層のデジタル映像信号のどちらかを選択して出力する。また、弱階層の音声パケットはＦＩＦＯメモリ１１７ｃを介して、音声デコーダ部１１７ｆへ供給される。強階層の音声パケットは音声デコーダ部１１７ｇへ供給される。音声デコーダ部１１７ｆおよび音声デコーダ部１１７ｇでは、圧縮音声をデコードし、デジタル音声信号を出力する。音声出力選択部１１７ｉでは、ユーザの要求に応じて、弱階層のデジタル音声信号または強階層のデジタル音声信号のどちらかを選択して出力する。ＦＩＦＯメモリ１１７ｂおよびＦＩＦＯメモリ１１７ｃでは、弱階層と強階層の映像・音声の呈示時刻の時間差を吸収するための遅延時間調整を行う。ユーザからの受信階層の切り換え要求、または、実時間受信と時間差受信の切り換え要求は、ユーザインタフェース１２３を介してマイクロコンピュータ１２２へ供給される。また、周波数選択部１１２〜音声Ｄ／Ａ変換部１１９はマイクロコンピュータ１２２によって制御される。
【特許文献１】特開２００６−３１０９４８号公報
【発明の開示】
【発明が解決しようとする課題】
【０００８】
前述した従来のデジタル放送受信装置では、受信階層の切り換え機能として、ユーザによって受信階層を指定したり、電波環境に応じて受信階層を自動的に切り換えたりすることが可能である。しかし、受信状況が悪化したり、ユーザがうっかりしたりすることにより、放送内容の一部を見逃す（聞き逃す）場合が存在するが、そのような場合に、見逃した（聞き逃した）内容を再度視聴することができないという問題点がある。
【０００９】
そこで、本発明の目的は、見逃したまたは聞き逃した内容を再度視聴することができるデジタル放送受信装置およびデジタル放送受信装置の制御方法を提供することにある。
【課題を解決するための手段】
【００１０】
上述課題を解決するため、本発明のデジタル放送受信装置は、受信したデジタル放送信号から、第１放送データと、前記第１放送データと同じ放送内容であってデータ量が少ない第２放送データを抽出する抽出手段と、前記抽出手段によって抽出された前記第２放送データを入力し、入力から一定期間記憶する記憶手段と、前記第１放送データおよび前記第２放送データの何れか一方を選択する選択手段と、前記選択手段によって選択された放送データを再生する再生手段と、前記選択手段によって前記第１放送データから前記第２放送データへ選択が切り換えられた場合に、前記記憶手段に記憶されている過去に受信された前記第２放送データを前記再生手段に再生させる制御を行う制御手段と、を有することを特徴とする。
この構成によれば、見逃したまたは聞き逃した内容を再度視聴することが可能となる。
【００１１】
また、他の発明は上記発明に加えて、前記制御手段は、前記選択手段によって前記第１放送データから前記第２放送データへ選択が切り換えられた場合に、前記記憶手段に記憶されている過去に受信された前記第２放送データを前記再生手段に再生させるか、または、前記抽出手段によって抽出された現在の前記第２放送データを前記再生手段に再生させるかを選択可能であることを特徴とする。
この構成によれば、必要に応じて遡及再生ができるので、単に、第１放送と第２放送を切り換えたい場合には、遡及再生を行わないことも可能となる。
【００１２】
また、他の発明は、上記発明に加えて、前記制御手段は、前記選択手段によって前記第１放送データから前記第２放送データへ選択が切り換えられた場合に、前記記憶手段に記憶されている、過去のどの時点の前記第２放送データを前記再生手段に再生させるかを設定可能であることを特徴とする。
この構成によれば、遡及再生を行う際の遡及時間を任意に設定可能とすることができるので、ユーザの好みまたは使用目的等に応じて時間設定を行うことができる。
【００１３】
また、他の発明は、上記発明に加えて、前記制御手段は、前記選択手段によって前記第１放送データから前記第２放送データへ選択が切り換えられた場合に、前記記憶手段に記憶されている前記第２放送データの再生速度を速くするとともに、前記第２放送データの再生位置が現在受信されている前記第２放送データの位置と等しくなった場合には、前記選択手段による選択を前記第１放送データに切り換えることを特徴とする。
この構成によれば、遡及再生した後に、第１放送に切り換える場合の再生時間のずれの発生を防止できる。
【００１４】
また、他の発明は、上記発明に加えて、前記制御手段は、前記選択手段によって前記第１放送データから前記第２放送データへ選択が切り換えられた場合に、前記記憶手段に記憶されている前記第２放送データの再生速度を速くするとともに、前記第２放送データの再生位置が現在受信されている前記第２放送データの位置と等しくなった場合にはその旨を呈示することを特徴とする。
この構成によれば、遡及再生した後に、第１放送に切り換える場合の再生時間のずれの発生を防止できるとともに、ユーザの所望のタイミングで切り換えを行うことができる。
【００１５】
また、本発明の本発明のデジタル放送受信装置の制御方法は、受信したデジタル放送信号から、第１放送データと、前記第１放送データと同じ放送内容であってデータ量が少ない第２放送データを抽出する抽出ステップと、前記抽出ステップにおいて抽出された前記第２放送データを入力し、入力から一定期間記憶装置に記憶させる記憶ステップと、前記第１放送データおよび前記第２放送データの何れか一方を選択する選択ステップと、前記選択ステップにおいて選択された放送データを再生する再生ステップと、前記選択ステップにおいて前記第１放送データから前記第２放送データへ選択が切り換えられた場合に、前記記憶装置に記憶されている過去に受信された前記第２放送データを前記再生ステップに再生させる制御を行う制御ステップと、を有することを特徴とする。
この方法によれば、見逃したまたは聞き逃した内容を再度視聴することが可能となる。
【発明の効果】
【００１６】
本発明によれば、見逃したまたは聞き逃した内容を再度視聴することができるデジタル放送受信装置およびデジタル放送受信装置の制御方法を提供することができる。
【発明を実施するための最良の形態】
【００１７】
（Ａ）発明の実施形態の説明
つぎに図面を参照して本発明の好適な実施の形態について説明する。図１は、本発明の実施形態である車載型デジタル放送受信装置１０の構成例を示す図である。この図１に示すように、車載型デジタル放送受信装置１０は、アンテナ１１、周波数選択部１２、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）デコーダ部１３、映像・音声復号部１４、映像Ｄ／Ａ（Ｄｉｇｉｔａｌ  ｔｏ  Ａｎａｌｏｇ）変換部１５、音声Ｄ／Ａ変換部１６、モニタ１７、スピーカ１８、マイクロコンピュータ１９、および、ユーザインタフェース２０を有している。
【００１８】
ここで、アンテナ１１は、図示せぬ車両の天井等に設置され、同じく図示せぬ放送局または中継局から送信された高周波信号を捕捉し、周波数選択部１２に供給する。周波数選択部１２は、アンテナ１１によって捕捉された高周波信号から、選局しようとする放送の周波数帯域のみを抽出し、ＯＦＤＭデコーダ部１３へ出力する。ＯＦＤＭデコーダ部１３は、ＯＦＤＭ復調および復調後信号の復号を行い、ＭＰＥＧ−ＴＳ（Ｍｏｖｉｎｇ  Ｐｉｃｔｕｒｅ  Ｅｘｐｅｒｔｓ  Ｇｒｏｕｐ  Ｔｒａｎｓｐｏｒｔ  Ｓｔｒｅａｍ）信号と呼ばれる圧縮映像と圧縮音声を含むパケット化されたデータを生成し、映像・音声復号部１４に供給する。
【００１９】
映像・音声復号部１４は、圧縮映像と圧縮音声を復号し、デジタル映像信号とデジタル音声信号を出力する。映像Ｄ／Ａ変換部１５はデジタル映像信号をアナログ映像信号に変換し、モニタ１７へ供給する。音声Ｄ／Ａ変換部１６はデジタル音声信号をアナログ音声信号に変換し、スピーカ１８へ供給する。モニタ１７は受信した映像を表示部に表示出力する。また、スピーカ１８は、受信した音声信号を大気中に放音する。
【００２０】
マイクロコンピュータ１９は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）等によって構成され、ユーザインタフェース２０から入力された情報を参照し、ＲＯＭに格納されているプログラムおよびデータに基づいて装置の各部を制御する。ユーザインタフェース２０は、例えば、キーデバイスまたはタッチパネル式液晶ディスプレイ等によって構成され、ユーザの操作に応じた情報を生成して出力する。
【００２１】
図２は、図１に示す映像・音声復号部１４の詳細な構成例を示す図である。図２に示すように、映像・音声復号部１４は、ＴＳ分離部１４ａ、ＦＩＦＯ（Ｆｉｒｓｔ−ｉｎ  Ｆｉｒｓｔ−ｏｕｔ）メモリ１４ｂ〜１４ｅ、出力選択部１４ｆ，１４ｇ、映像デコーダ部１４ｈ，１４ｉ、音声デコーダ部１４ｊ，１４ｋ、映像出力選択部１４ｍ、および、音声出力選択部１４ｎを有している。
【００２２】
ここで、ＴＳ分離部１４ａは、ＯＦＤＭデコーダ部１３から供給されたＭＰＥＧ−ＴＳ信号から、弱階層の映像パケット、強階層の映像パケット、弱階層の音声パケット、および、強階層の音声パケットを分離してそれぞれ出力する。ここで、弱階層の映像は、例えば、１２セグメント放送によって送信される映像であり、解像度が１９２０×１０８０ドットであり、また、フレームレートが３０フレーム／秒とされている。強階層の映像は、例えば、１セグメント放送によって送信される映像であり、解像度が３２０×２４０ドットであり、また、フレームレートが１５フレーム／秒とされている。また、弱階層の音声は、前述のように１２セグメント放送によって送信される音声であり、例えば、高品質の５．１チャンネルの音声信号とされている。強階層の音声は、前述のように１セグメント放送によって送信される音声であり、低品質のステレオ（２チャンネル）放送とされている。
【００２３】
ＦＩＦＯメモリ１４ｂは、ＴＳ分離部１４ａから出力される弱階層の映像パケットを格納し、弱階層と強階層の映像の呈示時刻の時間差を吸収するための遅延時間調整を行い、出力する。ＦＩＦＯメモリ１４ｃは、ＴＳ分離部１４ａから出力される強階層の映像パケットを、例えば、１０秒間に対応する分だけ格納して遅延した後、出力する。ＦＩＦＯメモリ１４ｄは、ＴＳ分離部１４ａから出力される弱階層の音声パケットを格納し、弱階層と強階層の音声の呈示時刻の時間差を吸収するための遅延時間調整を行い、出力する。ＦＩＦＯメモリ１４ｅは、ＴＳ分離部１４ａから出力される強階層の音声パケットを、前述したＦＩＦＯメモリ１４ｃと同じ、例えば、１０秒間に対応する分だけ格納して遅延した後、出力する。
【００２４】
出力選択部１４ｆは、ＴＳ分離部１４ａから出力される強階層映像パケットまたはＦＩＦＯメモリ１４ｃから出力される遅延された（過去に受信された）強階層映像パケットのいずれかを選択して映像デコーダ部１４ｉに出力する。出力選択部１４ｇは、ＴＳ分離部１４ａから出力される強階層音声パケットまたはＦＩＦＯメモリ１４ｅから出力される遅延された（過去に受信された）強階層音声パケットのいずれかを選択して音声デコーダ部１４ｋに出力する。
【００２５】
映像デコーダ部１４ｈは、ＦＩＦＯメモリ１４ｂから出力される弱階層映像パケットをデコードし、デジタル映像信号を出力する。映像デコーダ部１４ｉは、出力選択部１４ｆから出力される強階層映像パケットをデコードし、デジタル映像信号を出力する。音声デコーダ部１４ｊは、ＦＩＦＯメモリ１４ｄから出力される弱階層音声パケットをデコードし、デジタル音声信号を出力する。音声デコーダ部１４ｋは、出力選択部１４ｇから出力される強階層音声パケットをデコードし、デジタル音声信号を出力する。
【００２６】
映像出力選択部１４ｍは、ユーザの要求に応じて、弱階層デジタル映像信号または強階層デジタル映像信号のどちらかを選択して出力する。同様に、音声出力選択部１４ｎは、ユーザの要求に応じて、弱階層デジタル音声信号または強階層デジタル音声信号のどちらかを選択して出力する。
【００２７】
（Ｂ）発明の実施形態の動作の説明
つぎに、本発明の実施形態の動作について説明する。ユーザがユーザインタフェース２０の電源ボタンを操作して装置に電源を投入すると、図示せぬ電源部から装置の各部へ電源電力の供給が開始される。この結果、装置の各部は動作を開始する。このような状態において、ユーザがユーザインタフェース２０を操作して、受信しようとする放送局のチャンネルを選択すると、周波数選択部１２は、アンテナ１１によって捕捉された高周波信号に対して、選局したいチャンネルに応じた所望の中間周波数になるように周波数変換を行った後、所望の周波数帯域のみをフィルタにより切り出し、ＯＦＤＭデコーダ部１３へ供給する。ＯＦＤＭデコーダ部１３では、ＯＦＤＭ復調および復調後信号の復号を行い、ＭＰＥＧ−ＴＳ信号と呼ばれる圧縮映像と圧縮音声を含むパケット化されたデータを生成し、映像・音声復号部１４へ供給する。
【００２８】
映像・音声復号部１４では、ＴＳ分離部１４ａが、ＯＦＤＭデコーダ部１３から供給されたＭＰＥＧ−ＴＳ信号から、弱階層の映像パケット、強階層の映像パケット、弱階層の音声パケット、および、強階層の音声パケットを分離してそれぞれ出力する。ＴＳ分離部１４ａから出力された弱階層映像パケットおよび弱階層音声パケットは、ＦＩＦＯメモリ１４ｂおよびＦＩＦＯメモリ１４ｄにそれぞれ供給される。ＦＩＦＯメモリ１４ｂおよびＦＩＦＯメモリ１４ｄは、弱階層と強階層の映像・音声の呈示時刻の時間差を吸収するための遅延時間調整を行った後、出力する。ＴＳ分離部１４ａから出力された強階層映像パケットおよび強階層音声パケットは、ＦＩＦＯメモリ１４ｃおよびＦＩＦＯメモリ１４ｅにそれぞれ供給されるとともに、出力選択部１４ｆおよび出力選択部１４ｇに供給される。
【００２９】
ＦＩＦＯメモリ１４ｃは、ＴＳ分離部１４ａから出力される強階層の映像パケットを、例えば、１０秒間に対応する分だけ格納して遅延した後、出力する。ＦＩＦＯメモリ１４ｅは、ＴＳ分離部１４ａから出力される強階層の音声パケットを、前述したＦＩＦＯメモリ１４ｃと同じ、例えば、１０秒間に対応する分だけ格納して遅延した後、出力する。ところで、通常の状態（後述する「遡及ボタン」が操作されていない状態）では、出力選択部１４ｆおよび出力選択部１４ｇは、ＴＳ分離部１４ａから出力される遅延のない強階層映像パケットおよび強階層音声パケットを選択しているので、映像デコーダ部１４ｉおよび音声デコーダ部１４ｋには、遅延のない強階層映像パケットおよび強階層音声パケットが供給される。映像デコーダ部１４ｈおよび音声デコーダ部１４ｊは、ＦＩＦＯメモリ１４ｂおよびＦＩＦＯメモリ１４ｄによって呈示タイミングが調整された弱階層映像パケットおよび弱階層音声パケットをデコードして映像出力選択部１４ｍおよび音声出力選択部１４ｎにそれぞれ出力する。映像出力選択部１４ｍおよび音声出力選択部１４ｎは、マイクロコンピュータ１９の制御に応じて、ユーザが指示した階層の映像および音声を選択して出力する。例えば、ユーザが、ユーザインタフェース２０を操作して、弱階層の放送（１２セグメント放送）を受信する指示を行った場合には、映像出力選択部１４ｍおよび音声出力選択部１４ｎは、映像デコーダ部１４ｈおよび音声デコーダ部１４ｊから出力されるデジタル映像信号およびデジタル音声信号を選択して出力する。一方、強階層の放送（１セグメント放送）を受信する指示を行った場合には、映像出力選択部１４ｍおよび音声出力選択部１４ｎは、映像デコーダ部１４ｉおよび音声デコーダ部１４ｋから出力されるデジタル映像信号およびデジタル音声信号を選択して出力する。
【００３０】
映像出力選択部１４ｍおよび音声出力選択部１４ｎから出力されたデジタル映像信号およびデジタル音声信号は、映像Ｄ／Ａ変換部１５および音声Ｄ／Ａ変換部１６にそれぞれ供給され、アナログ映像信号およびアナログ音声信号に変換されてモニタ１７およびスピーカ１８にそれぞれ出力される。モニタ１７は、供給されたアナログ映像信号を表示部に呈示する。また、スピーカ１８は、供給されたアナログ音声信号を大気中に放音する。これにより、ユーザの所望する放送局の放送が受信されて再生される。前述したように、通常の状態では、出力選択部１４ｆおよび出力選択部１４ｇは、ＴＳ分離部１４ａから出力される遅延されていない強階層映像パケットおよび強階層音声パケットを選択しており、また、弱階層映像パケットおよび弱階層音声パケットは、ＦＩＦＯメモリ１４ｂおよびＦＩＦＯメモリ１４ｄによって呈示のタイミングが調整されているので、ユーザがユーザインタフェース２０を操作して、弱階層と強階層の受信の切り換えを行った場合であっても、映像および音声の呈示されるタイミングがずれることはない。
【００３１】
つぎに、図３に示すフローチャートを参照して、ユーザインタフェース２０に設けられた図示せぬ「遡及ボタン」が操作された場合の動作について説明する。ここで、遡及ボタンとは、弱階層放送を受信中に、受信状況が悪化したり、あるいは、ユーザがうっかりしたりして、放送内容の一部を聞き逃したり、あるいは、見逃したりした場合に、当該内容を再度視聴したいときに操作されるボタンである。なお、ユーザインタフェース２０に遡及ボタンを設けるのではなく、例えば、図示せぬリモートコントローラに当該遡及ボタンを設けるようにしてもよい。
【００３２】
図３に示すフローチャートの処理が実行されると、ステップＳ１０において、マイクロコンピュータ１９は、遡及ボタンが操作されたか否かを判定し、遡及ボタンが操作されたと判定した場合（ステップＳ１０；Ｙｅｓ）にはステップＳ１１に進み、それ以外の場合（ステップＳ１０；Ｎｏ）には処理を終了する。
【００３３】
ステップＳ１１では、マイクロコンピュータ１９は、出力選択部１４ｆおよび出力選択部１４ｇをＦＩＦＯメモリ１４ｃおよびＦＩＦＯメモリ１４ｅ側に切り換えさせる。これにより、映像デコーダ部１４ｉおよび音声デコーダ部１４ｋには、ＦＩＦＯメモリ１４ｃおよびＦＩＦＯメモリ１４ｅに格納されている、１０秒程度遅延された強階層映像パケットおよび強階層音声パケットが供給される。
【００３４】
ステップＳ１２では、マイクロコンピュータ１９は、映像出力選択部１４ｍおよび音声出力選択部１４ｎを強階層側である映像デコーダ部１４ｉおよび音声デコーダ部１４ｋ側に切り換えさせる。これにより、映像Ｄ／Ａ変換部１５および音声Ｄ／Ａ変換部１６には、１０秒程度遅延された（１０秒程度前に受信された）デジタル映像信号およびデジタル音声信号が供給される。
【００３５】
ステップＳ１３では、マイクロコンピュータ１９は、強階層放送の加速再生を開始する。具体的には、マイクロコンピュータ１９は、映像デコーダ部１４ｉおよび音声デコーダ部１４ｋに対して、通常よりも１．２倍程度速いスピードで、映像パケットおよび音声パケットをデコードするように指示するとともに、映像Ｄ／Ａ変換部１５および音声Ｄ／Ａ変換部１６に対しても、通常よりも１．２倍程度速いスピードでデジタル映像信号およびデジタル音声信号をアナログ映像信号およびアナログ音声信号に変換するように指示する。これにより、モニタ１７およびスピーカ１８からは、通常よりも１．２倍速程度速い速度で再生された強階層の映像および音声が呈示される。
【００３６】
ステップＳ１４では、マイクロコンピュータ１９は、ＦＩＦＯメモリ１４ｃおよびＦＩＦＯメモリ１４ｅに格納されている映像および音声のパケットが終了したか否かを判定し、終了したと判定した場合（ステップＳ１４；Ｙｅｓ）にはステップＳ１５に進み、それ以外の場合（ステップＳ１４；Ｎｏ）には同様の処理を繰り返す。より詳細には、映像デコーダ部１４ｉおよび音声デコーダ部１４ｋは、通常よりも速い速度でパケットをデコードすることから、ＦＩＦＯメモリ１４ｃおよびＦＩＦＯメモリ１４ｅに格納されている１０秒部の映像および音声のパケットは徐々に少なくなり、ある一定の時間が経過すると、使い尽くされて終了する。そのような場合には、Ｙｅｓと判定されてステップＳ１５に進む。
【００３７】
ステップＳ１５では、マイクロコンピュータ１９は、映像出力選択部１４ｍおよび音声出力選択部１４ｎを弱階層側である映像デコーダ部１４ｈおよび音声デコーダ部１４ｊ側に切り換えさせる。これにより、映像Ｄ／Ａ変換部１５および音声Ｄ／Ａ変換部１６には、弱階層のデジタル映像信号およびデジタル音声信号が供給される。
【００３８】
ステップＳ１６では、マイクロコンピュータ１９は、弱階層放送の通常再生を開始する。具体的には、マイクロコンピュータ１９は、映像デコーダ部１４ｈおよび音声デコーダ部１４ｊに対して、通常の速度（１倍速）で、映像パケットおよび音声パケットをデコードするように指示するとともに、映像Ｄ／Ａ変換部１５および音声Ｄ／Ａ変換部１６に対しても、通常の速度（１倍速）でデジタル映像信号およびデジタル音声信号をアナログ映像信号およびアナログ音声信号に変換するように指示する。これにより、モニタ１７およびスピーカ１８からは、通常の速度で再生された弱階層の映像および音声が呈示される。このとき、それまで加速再生されていた強階層放送の呈示のタイミングは、弱階層放送の呈示のタイミングに追いついているので、切り換え時に一部の内容が省略されることはない。
【００３９】
ステップＳ１７では、マイクロコンピュータ１９は、強階層の加速再生を停止させる。具体的には、マイクロコンピュータ１９は、映像デコーダ部１４ｉおよび音声デコーダ部１４ｋに対して、通常の速度（１倍速）で、映像パケットおよび音声パケットをデコードするように指示する。
【００４０】
ステップＳ１８では、マイクロコンピュータ１９は、出力選択部１４ｆおよび出力選択部１４ｇをＴＳ分離部１４ａ側に切り換えさせる。これにより、映像デコーダ部１４ｉおよび音声デコーダ部１４ｋには、ＴＳ分離部１４ａから出力される遅延がされていない強階層映像パケットおよび強階層音声パケットが供給される。また、この際、ＦＩＦＯメモリ１４ｃおよびＦＩＦＯメモリ１４ｅの読み出しアドレスが書き込みアドレスに追いついているが、ＦＩＦＯメモリ内に所定時間分のデータは残っている（新しいデータが書き込まれるまでデータは破棄されない）ので、これらの読み出しアドレスを１０秒分前のデータ点を指し示す位置に移動させることにより、１０秒分の強階層映像パケットおよび強階層音声パケットが蓄積されている状態に戻す。そして、処理を終了する。
【００４１】
つぎに、図３に示すフローチャートの処理を図４を参照して具体に説明する。この図において図４（Ａ）は、弱階層放送の映像のフレームを示しており、図の左から右へ受信がなされる。また、図４（Ｂ）は、強階層放送の映像のフレームを示しており、図の左から右へ受信がなされる。なお、実際には、強階層は弱階層よりもフレームレートが低いが（例えば、３０フレーム／秒に対して１５フレーム／秒程度であるが）、説明を簡略化するために、これらが等しくなるように示してある。各フレームに付されたアルファベットは、それぞれのフレームに付されたインデックスである。また、弱階層のフレームは、強階層のフレームよりも解像度が高いため、フレームの縦方向の長さは弱階層のフレームの方が大きくなるように示してある。図４（Ｃ）のイベントは、種々のタイミングで発生する各種のイベントを時間軸上に示してある。図４（Ｄ）の再生内容は、モニタ１７に表示されるフレームを示している。
【００４２】
図４（Ｄ）に示すように、弱階層放送を受信中において、時刻Ｔ１において、例えば、受信状態が悪化したり、あるいは、ユーザがうっかりしたりすることで、放送内容（フレームＣの内容）を聞き逃した（あるいは見逃した）とする。そのような場合には、ユーザは、ユーザインタフェース２０が有する遡及ボタンを操作する。例えば、時刻Ｔ２において遡及ボタンが操作されたとすると、図３のステップＳ１０においてＹｅｓと判定され、ステップＳ１１に進み、出力選択部１４ｆおよび出力選択部１４ｇがＦＩＦＯメモリ１４ｃおよびＦＩＦＯメモリ１４ｅ側に切り換えられ、ステップＳ１２において映像出力選択部１４ｍおよび音声出力選択部１４ｎが映像デコーダ部１４ｉおよび音声デコーダ部１４ｋ側に切り換えられ、ステップＳ１３において強階層放送の加速再生が開始される。この結果、図４（Ｄ）に示すように、時刻Ｔ２から、所定時間だけ前の強階層放送のフレームであるフレームＢの再生が開始される。また、強階層のフレームの再生は、図４（Ｄ）に示すように、時間τ２の間隔で実行される。このτ２は、通常の再生時の間隔であるτ１よりも短く設定されているため、再生速度は、例えば、１．２倍速となる。また、フレームＢから再生が開始されることから、ユーザは聞き逃した（あるいは見逃した）フレームＣを再度視聴することができる。
【００４３】
その後、時刻Ｔ３では、ＦＩＦＯメモリ１４ｃおよびＦＩＦＯメモリ１４ｅに格納されている映像および音声のパケットが終了したと判定されてステップＳ１５に進み、映像出力選択部１４ｍおよび音声出力選択部１４ｎを弱階層側である映像デコーダ部１４ｈおよび音声デコーダ部１４ｊ側に切り換えるとともに、ステップＳ１６において、弱階層放送の通常再生を開始する。これにより、映像Ｄ／Ａ変換部１５および音声Ｄ／Ａ変換部１６には、弱階層のデジタル映像信号およびデジタル音声信号が供給されるため、フレームＪ以降は、弱階層放送が再生されることになる。そして、ステップＳ１７では、強階層の加速再生を停止させる。この際、ＦＩＦＯメモリ１４ｃおよびＦＩＦＯメモリ１４ｅの読み出しアドレスを所定時間前のデータ点を指し示す位置に移動させる。これにより所定時間分の強階層映像パケットおよび強階層音声パケットが蓄積されている状態に戻る。そして、ステップＳ１８では、出力選択部１４ｆおよび出力選択部１４ｇをＴＳ分離部１４ａ側に切り換えさせるので、映像デコーダ部１４ｉおよび音声デコーダ部１４ｋには、ＴＳ分離部１４ａから出力される遅延されていない強階層映像パケットおよび強階層音声パケットが供給される。したがって、これ以降においては、弱階層放送と強階層放送を切り換えても呈示時刻の時間的なずれを生じることはない。
【００４４】
以上に説明したように、本実施の形態では、強階層放送の映像および音声パケットをＦＩＦＯメモリ１４ｃおよびＦＩＦＯメモリ１４ｅに一定時間分だけ格納し、遡及ボタンが操作された場合には、これらのＦＩＦＯメモリ１４ｃ，１４ｅに格納されている過去に受信された映像および音声パケットを再生するようにしたので、見逃した（あるいは聞き逃した）情報を再度視聴することが可能になる。
【００４５】
また、本実施形態では、強階層放送の映像および音声パケットをＦＩＦＯメモリ１４ｃ，１４ｅに格納するようにしたので、ノイズに強い強階層放送を利用することで、受信状況が悪化した場合であっても、見逃した（あるいは聞き逃した）情報を確実に再視聴することができる。さらに、強階層放送の映像および音声パケットは、弱階層に比較してデータ量が少ないことから、ＦＩＦＯメモリ１４ｃ，１４ｅの容量を少なくすることができる。さらにまた、ＦＩＦＯメモリ１４ｃ，１４ｅを使用することにより、図５に示す従来のように、物理的な可動部分を有するハードディスク装置１２４を使用する場合に比較して、故障の発生率を低減することができる。
【００４６】
（Ｃ）変形実施形態の説明
以上の説明においては、遡及ボタンが操作された場合に遡及する時間（以下「遡及時間」とする）は固定として説明を行ったが、当該時間をユーザによって設定可能としてもよい。具体的には、例えば、設定画面において、遡及する時間を最大遡及時間内の任意の時間に設定可能としてもよい。例えば、ＦＩＦＯメモリ１４ｃ，１４ｅの容量によって定まる最大遡及時間が３０秒である場合には、０〜３０秒の範囲で任意の時間に設定できるようにするとともに、設定された時間に基づいてＦＩＦＯメモリ１４ｃ，１４ｅに格納するパケットの量を調整するようにすればよい。なお、０秒が設定された場合には、遡及は行わず、弱階層放送と強階層放送の切り換えのみが実行される。
【００４７】
また、以上の実施形態においては、遡及ボタンが操作された後は、強階層放送が加速再生されるようにしたが、加速再生ではなく通常再生されるようにしてもよい。あるいは、見逃し（あるいは聞き逃し）の際に、遡及ボタンが操作されることを考慮して、例えば、０．８倍速等の減速再生を行うようにしてもよい。なお、加速再生を行わない場合には、現在再生している強階層放送と、弱階層放送との時間差は縮まらないため、所定の時間が経過した時点で弱階層放送に自動的に切り換えたり、あるいは、ユーザに手動で切り換えさせたりするようにしてもよい。また、切り換え時における見逃し（あるいは聞き逃し）の発生を防止するために、例えば、弱階層放送と強階層放送の双方でコマーシャルが放送されている際に自動的に切り換えるようにしたり、先行する弱階層放送においてコマーシャルが放送されている場合には、画面の一部に「コマーシャル放送中」の表示を行うとともに、ユーザによって所望のタイミングで強階層放送から弱階層放送に切り換えたりするようにしてもよい。
【００４８】
また、以上の実施形態では、遡及ボタンが操作された際に、図３に示す処理を実行するようにしたが、例えば、弱階層放送から強階層放送への切り換えが指示された場合に、図３に示す処理を実行するようにしてもよい。このような切り換えが指示されるのは、弱階層放送の受信状況が悪化した場合が想定されることから、そのような場合には見逃し（あるいは聞き逃し）が発生していることが考えられるからである。
【００４９】
また、以上の実施形態では、遡及ボタンが操作された後に、強階層放送を加速再生している際に、弱階層放送に追いついた場合（ＦＩＦＯメモリ１４ｃ，１４ｅのパケットが終了した場合）には、自動的に弱階層放送に切り換えるようにしたが、例えば、追いついたことをモニタ１７に表示させ、ユーザの手動操作によって切り換えるようにしてもよい。
【００５０】
また、遡及ボタンが操作されるのは、見逃し（あるいは聞き逃し）が発生した場合に操作されることを考慮して、遡及ボタンが操作された場合には再生音量を一時的に上げたり、モニタ１７の輝度あるいはコントラストを一時的に上げたりするようにしてもよい。
【００５１】
また、以上の実施形態では、特定のチャンネルを継続して視聴している際に、見逃し（あるいは聞き逃し）が発生した場合を例に挙げて説明したが、例えば、視聴を開始してから間もなく、あるいは、チャンネルを変えてから間もなくに、見逃し（あるいは聞き逃し）が発生した場合は、ＦＩＦＯメモリ１４ｃ，１４ｅには十分なパケットが蓄積されていない場合も想定されるが、そのような場合には、蓄積されているだけのパケットに基づいて遡及再生を行うようにしてもよい。
【図面の簡単な説明】
【００５２】
【図１】本実施形態に係る車載型デジタル受信装置の構成を示すブロック図である。
【図２】図１に示す映像・音声復号部の詳細な構成例を示すブロック図である。
【図３】遡及ボタンが操作された場合に実行される処理の一例を説明するフローチャートである。
【図４】図３に示すフローチャートの具体的な処理の内容を説明するための図である。
【図５】従来の車載型デジタル受信装置の構成を示すブロック図である。
【図６】図５に示す映像・音声復号部の詳細な構成例を示すブロック図である。
【符号の説明】
【００５３】
１０  車載型デジタル放送受信装置
１１  アンテナ
１２  周波数選択部
１３  ＯＦＤＭデコーダ部
１４  映像・音声復号部
１４ａ  ＴＳ分離部
１４ｂ〜１４ｅ  ＦＩＦＯメモリ
１４ｆ，１４ｇ  出力選択部
１４ｈ，１４ｉ  映像デコーダ部
１４ｊ，１４ｋ  音声デコーダ部
１４ｍ  映像出力選択部
１４ｎ  音声出力選択部
１５  映像Ｄ／Ａ変換部
１６  音声Ｄ／Ａ変換部
１７  モニタ
１８  スピーカ
１９  マイクロコンピュータ
２０  ユーザインタフェース
【図１】
2010130406.tif 000003
【図２】
2010130406.tif 000004
【図３】
2010130406.tif 000005
【図４】
2010130406.tif 000006
【図５】
2010130406.tif 000007
【図６】
2010130406.tif 000008